Podtech/llm-jp-corpus-v4-ja_patent huggingface dataset:
(57)【要約】      （修正有）【課題】フリージングパックによる保存を用途によって必要な分量だけを分割して取出すことができるフリージングパック用仕切具を提供する。【解決手段】先端が互いに開脚自在となる様、基端を軸支持された上下クリップ棒片と、この上下クリップ棒片を複数本平行に配すると共に、一定面積に仕切った小分け分割溝が形成される様フリージングパックを挟んだ状態において、上下のクリップ棒片の先端を保持する留め具とで成したことを特徴とする。【選択図】図４
0003155645.tif 000002
【実用新案登録請求の範囲】
【請求項１】
先端が互いに開脚自在となる様、基端を軸支持された上下クリップ棒片と、この上下クリップ棒片を複数本平行に配すると共に、一定面積に仕切った小分け分割溝が形成される様フリージングパックを挟んだ状態において、前記上下のクリップ棒片の先端を保持する留め具とで成したことを特徴としたフリージングパック用仕切具。
【請求項２】
前記上下のクリップ棒片は、一方クリップ棒片の上下面の一面に一定間隔にて凹部を形成し、且つ他方クリップ棒片に前記一方クリップ棒片の凹部と反対面で而も同位置に凹部を形成し、この複数本平行に配された両方クリップ棒片に直交する複数本の上下クリップ棒片を前記両方クリップ棒片の各々の凹部に嵌合させたことを特徴とする請求項１記載のフリージングパック用仕切具。
【請求項３】
前記上下のクリップ棒片は、直交する複数本の上下クリップ棒片に前記両方クリップ棒片の夫々の凹部に嵌合する凹部を形成したことを特徴とする請求項２記載のフリージングパック用仕切具。
【考案の詳細な説明】
【技術分野】
【０００１】
本考案はフリージングパックに収納された食材を冷凍保存する際、小分け分割が出来る様に予め一定面積に仕切っておくフリージングパック用仕切具に関する。
【背景技術】
【０００２】
一般的にカレー、ホワイトソース等の食材をフリージングパックに入れて冷凍保存する場合、解凍後の食する人数、分量を考慮せずして残存量をそのまま収納冷凍している。
従ってその後の解凍はパック毎行うから、食する人数、分量によっては残存し、鮮度、風味が損なわれることとなる。
勿論、残存分を再度パックに収納して冷凍保存することは避け、廃棄するのが現状である。
【考案の概要】
【考案が解決しようとする課題】
【０００３】
フリージングパックによる保存を用途によって必要な分量だけ分割取出しが可能とし、且つ残存分を再度パックに収納して冷凍保存することへの敬遠から残存食料品を廃棄することの課題を解決するものである。
【課題を解決するための手段】
【０００４】
本考案は、先端が互いに開脚自在となる様、基端を軸支持された上下クリップ棒
片と、この上下クリップ棒片を複数本平行に配すると共に、一定面積に仕切った小分け分割溝が形成される様フリージングパックを挟んだ状態において、前記上下のクリップ棒片の先端を保持する留め具とで成したことを特徴とするものである。
【０００５】
更に本考案は、上下のクリップ棒片は、一方クリップ棒片の上下面の一面に一定
間隔にて凹部を形成し、且つ他方クリップ棒片に前記一方クリップ棒片の凹部と反対面で而も同位置に凹部を形成し、この複数本平行に配された両方クリップ棒片に直交する複数本の上下クリップ棒片を前記両方クリップ棒片の各々の凹部に嵌合させたことを特徴とするものである。
【０００６】
又本考案は、上下のクリップ棒片は、直交する複数本の上下クリップ棒片に前記両方クリップ棒片の夫々の凹部に嵌合する凹部を形成したことを特徴とするものである。
【考案の効果】
【０００７】
（１）請求項１により、フリージングパックに収納された食材を冷凍保存する際、フリージングパックは上下クリップ棒片にて予め一定面積に仕切られており、解凍時、必要量に応じてフリージングパックを切断して無用な解凍をすることがない。
更に、フリージングパックの冷凍初期における上下クリップ棒片の不安定な挟み状態も先端の留め具にて補完できる。
【０００８】
（２）請求項２により、フリージングパックの仕切り一定面積を升目状に多数形成でき、小分け分割がより一層促進出来、且つクリップ棒片の凹部に直交する上下クリップ棒片が嵌合して沈むから、交差する部分が浮き上がらず、フリージングパックに形成される切断用の仕切り溝が深く形成できる。
【０００９】
（３）請求項３により、直交する上下クリップ棒片にも凹部を形成しているので、その分交差する部分の浮き上がりを更に抑え、フリージングパックに形成される切断用の仕切溝をより一層深く形成できる。
【図面の簡単な説明】
【００１０】
【図１】フリージングパックの斜視図
【図２】上下クリップ棒片の斜視図
【図３】他方の上下クリップ棒片の斜視図
【図４】同上の組合斜視図
【図５】上下クリップ棒片の配置図
【図６】同上の側面図
【図７】同上の部分拡大断面図
【考案を実施するための形態】
【００１１】
以下本考案を実施例として掲げた図面に基いて説明すると、図1はフリージングパックＰを示す斜視図であって、食材Ｆを封入して一定面積に仕切った小分部Ｐｘが縦横の切断用の仕切溝Ｐａにて升目状に形成されている。このフリージングパックＰの一端には食材Ｆの収納口Ｐｂを有する。
図２、３は上下クリップ棒片１、２を示す斜視図で、先端１ａ、２ａが互いに開脚自在となる様、基端１ｂ、２ｂを軸３にて支持されている。
而して、図２に於ける上下クリップ棒片１、２には、上方クリップ棒片１の上面に一定間隔にて凹部４を形成し、且つ下方クリップ棒片２には上方クリップ棒片１の凹部４に対応して反対面である下面の同位置に凹部５を形成している。
【００１２】
更に、図３に於ける上下クリップ棒片１、２の凹部４、５は、上記図２での凹部４、５とは反対面に夫々形成されている。これは図４に示す如く、図２の上下クリップ棒片１、２を例えば縦軸Ｘとし、図３の上下クリップ棒片１、２を縦軸Ｙとすれば、図６に示す如く、両軸Ｘ、Ｙの凹部４、５が互いに嵌合してフリージングパックＰに形成される切断用の仕切溝Ｐａをより一層深く形成できることとなる。
而して、上下クリップ棒片１、２にてフリージングパックＰを挟んだ状態において、先端１ａ、２ａを留め具６にて保持し、冷凍初期における上下クリップ棒片１、２の不安定な挟み状態を補完する。
勿論、上下クリップ棒片１、２を含め留め具６は再使用できる。
【符号の説明】
【００１３】
Ｐ  フリージングパック
Ｆ  食材
１  上クリップ棒片
２  下クリップ棒片
３  軸
４  凹部
５  凹部
６  留め具
【図１】
0003155645.tif 000003
【図２】
0003155645.tif 000004
【図３】
0003155645.tif 000005
【図４】
0003155645.tif 000006
【図５】
0003155645.tif 000007
【図６】
0003155645.tif 000008
【図７】
0003155645.tif 000009
(57)【要約】【課題】  無落雪屋根における排水装置に関し、屋根上の融雪水を氷結させることなく確実に排水することができるようにする。【解決手段】  本考案に於いては、無落雪屋根の傾斜下端に該屋根１の全長にわたって設けられた横樋２と、該横樋２底部にドレン３を介して連結された排水縦樋５と、該排水縦樋５下部に連結された排水桝６と、概排水桝６に連結された排水管７とから成り、該排水桝６は気密性に優れた形状であって、該排水桝６を地中に埋設して地熱を吸収し、これに連結する該排水縦樋５内の空気を暖気することで該排水縦樋５と該ドレン３及び該ドレン口４付近を常時暖め氷結を防ぐとともに、該横樋２に集まる積雪の融解を促し融雪水を確実に該排水縦樋５に導き排水する構造とした。【選択図】図１
0003155641.tif 000002
【実用新案登録請求の範囲】
【請求項１】
無落雪屋根の傾斜下端に該屋根の全長にわたって設けられた横樋と、該横樋底部にドレンを介して連結された排水縦樋と、該排水縦樋下部に連結された排水桝と、概排水桝に連結された排水管とから成り、該排水桝は気密性に優れた形状であって、該排水桝を地中に埋設して地熱を吸収し、これに連結する該排水縦樋内の空気を暖気することで該排水縦樋と該ドレン及び該ドレン口付近を常時暖め氷結を防ぐとともに、該横樋に集まる積雪の融解を促し融雪水を確実に該排水縦樋に導き排水することを特徴とした無落雪屋根の排水構造。
【考案の詳細な説明】
【技術分野】
【０００１】  本考案は、無落雪屋根における排水装置に関し、屋根上の融雪水を氷結させることなく確実に排水することができるようにする無落雪屋根排水装置の構造に関するものである。
【背景技術】
【０００２】  従来より、無落雪形の屋根を有する建物に於いては、該屋根の左右の傾斜面から徐々に中央部の横樋に向かって集められる積雪を自然融解させ、排水縦樋に融雪水を導き排水する構造が一般に提案されている。
【考案の概要】
【考案が解決しようとする課題】
【０００３】  しかしながら、上述したような従来の方法では、融雪水が夜間などに急冷されることで該横樋内や連結する該ドレン内、さらには該排水縦樋内までが氷結し、融雪水が良好に排水できなくなる問題点を有していた。【０００４】  本考案は、上記従来有する問題点に鑑み、無落雪屋根における排水装置に関し、屋根上の融雪水を氷結させることなく確実に排水しようとするものである。
【課題を解決するための手段】
【０００５】  本考案に於いては、無落雪屋根の傾斜下端に該屋根１の全長にわたって設けられた横樋２と、該横樋２底部にドレン３を介して連結された排水縦樋５と、該排水縦樋５下部に連結された排水桝６と、概排水桝６に連結された排水管７とから成り、該排水桝６は気密性に優れた形状であって、該排水桝６を地中に埋設して地熱を吸収し、これに連結する該排水縦樋５内の空気を暖気することで該排水縦樋５と該ドレン３及び該ドレン口４付近を常時暖め氷結を防ぐとともに、該横樋２に集まる積雪の融解を促し融雪水を確実に該排水縦樋５に導き排水する構造とした。
【考案の効果】
【０００６】  本考案によれば、地熱を利用することで経済的かつ安全に無落雪屋根における該横樋内や該ドレン内あるいは該排水縦樋内の氷結を防ぎ、該横樋に集まる積雪の融解を促し融雪水を確実に排水縦樋に導き排水することができる。また、排水桝の排水口から貯水槽に連結させてもよく、雨水や融雪水を該貯水槽に蓄えることで生活水などの一部として利用できる効果もある。
【図面の簡単な説明】
【０００７】
【図１】  本考案に於ける無落雪屋根の排水構造の実施例を示した概略図である。
【考案を実施するための最良の形態】
【０００８】  以下、本考案の実施の形態について、図面を参照して説明する。
図１に示すように、本考案に於いては、無落雪屋根の傾斜下端に該屋根１の全長にわたって設けられた横樋２と、該横樋２底部にドレン３を介して連結された排水縦樋５と、該排水縦樋５下部に連結された排水桝６と、概排水桝６に連結された排水管７とから成り、該排水桝６は気密性に優れた形状であって、該排水桝６を地中に埋設して地熱を吸収し、これに連結する該排水縦樋５内の空気を暖気することで該排水縦樋５と該ドレン３及び該ドレン口４付近を常時暖め氷結を防ぐとともに、該横樋２に集まる積雪の融解を促し融雪水を確実に該排水縦樋５に導き排水する構造とした。
【符号の説明】
【０００９】  １    屋根
２    横樋
３    ドレン
４    ドレン口
５    排水縦樋
６    排水桝
７    排水管
８    貯水槽
９    排水溝
１０    地面
１１    雪
【図１】
0003155641.tif 000003
(57)【要約】      （修正有） 【課題】文字・図柄などが浮かび上がって見えるように、人工テレビ石を嵌め込んだ消しゴムを提供する。【解決手段】消しゴム１に所定の貫通穴を設け、前記貫通穴に、ソーダ石灰ガラス、ホウケイ酸ガラス、鉛ガラス、アルミノケイ酸塩ガラス、ホウ酸塩ガラス、リン酸塩ガラス、アルミン酸塩およびチタン酸塩ガラス、フッ化物ガラス、カルコゲンガラス、金属ガラス、結晶化ガラスのいずれかで形成されるグラスファイバーを溶融した合成キャッツアイを、更に光の入射面と出射面とを有する所定の形態に形成した人工テレビ石２をはめ込む。【選択図】図５
0003155646.tif 000002
【実用新案登録請求の範囲】
【請求項１】
消しゴムに所定の貫通穴を設け、
前記貫通穴に、ソーダ石灰ガラス、ホウケイ酸ガラス、鉛ガラス、アルミノケイ酸塩ガラス、ホウ酸塩ガラス、リン酸塩ガラス、アルミン酸塩およびチタン酸塩ガラス、フッ化物ガラス、カルコゲンガラス、金属ガラス、結晶化ガラスのいずれかで形成されているグラスファイバーを溶融した合成キャッツアイを、更に光の入射面と出射面とを有する所定の形態に形成した人工テレビ石がはめ込まれていることを特徴とする消しゴム。
【考案の詳細な説明】
【技術分野】
【０００１】
本考案は、文字や絵の上に置くと、その文字等が浮き出たように見える効果（グラスファイバー効果）を有する人工テレビ石をはめ込んだ消しゴムに関する。
【背景技術】
【０００２】
従来、ウレキサイトという天然石と同様のグラスファイバー効果による文字、模様等の浮かび上がり現象を呈するものが知られており、この原理を利用した光学玩具も考案されている。
【特許文献１】実用新案登録第３０９６６７８号公報
【考案の開示】
【考案が解決しようとする課題】
【０００３】
しかしながら、市販されている人工テレビ石を更に応用した文具類は、これまで考案されていなかった。
【０００４】
本考案は、上記の問題点に斯かる実情に鑑みなされたもので、人工テレビ石をはめ込んだ消しゴムを提供することを課題とする。
【課題を解決するための手段】
【０００５】
請求項１に記載の考案は、消しゴムに所定の貫通穴を設け、前記貫通穴に、ソーダ石灰ガラス、ホウケイ酸ガラス、鉛ガラス、アルミノケイ酸塩ガラス、ホウ酸塩ガラス、リン酸塩ガラス、アルミン酸塩およびチタン酸塩ガラス、フッ化物ガラス、カルコゲンガラス、金属ガラス、結晶化ガラスのいずれかで形成されているグラスファイバーを溶融した合成キャッツアイを、更に光の入射面と出射面とを有する所定の形態に形成した人工テレビ石がはめ込まれていることを特徴とする。
【考案の効果】
【０００６】
本考案によれば、文字等を消しゴム部分で消す以外にも、表記された文字、図柄等の上に、消しゴムにはめ込んだ人工テレビ石の光の入射面を置けば、出射面より、文字、図柄等の浮き上がりを確認でき、今までにない楽しみ方ができる。
【０００７】
また、文字等を消す際、光の入射面と出射面とを指で抑えることで、握りが安定し、両面の滑らかな感触を楽しむことが出来る。
【考案を実施するための最良の形態】
【０００８】
消しゴムに所定の貫通穴を設け、前記貫通穴に、ソーダ石灰ガラス、ホウケイ酸ガラス、鉛ガラス、アルミノケイ酸塩ガラス、ホウ酸塩ガラス、リン酸塩ガラス、アルミン酸塩およびチタン酸塩ガラス、フッ化物ガラス、カルコゲンガラス、金属ガラス、結晶化ガラスのいずれかで形成されているグラスファイバーを溶融した合成キャッツアイを、更に光の入射面と出射面とを有する所定の形態に形成した人工テレビ石をはめ込む。
【実施例１】
【０００９】
以下、図面を参照して本考案に係る消しゴムの一実施例を説明する。
図１は、人工テレビ石２をはめ込む前の消しゴム１の貫通穴３を示す図であり、図２は、人工テレビ石２をはめ込んだ状態を示す図であり、図３は、人工テレビ石２をはめ込んだ状態を図２の破線に沿って断面図にしたものであり、図４は、本考案の消しゴムにカバー６を取り付けた状態の図である。
【００１０】
そして、図５のように入射面４をひらがな文字あいうえおの文字が表記された面上に重ねると、もう一方の面である出射面５に、重ねたことにより覆われた部分の文字が、浮かび上がって見える。
【００１１】
ここで、人工テレビ石は、グラスファイバーを溶融した合成キャッツアイからなり、前記合成キャッツアイを、光の入射面と出射面とを有する所定の形態に形成したものである。
【００１２】
そして、グラスファイバーは、ソーダ石灰ガラス、ホウケイ酸ガラス、鉛ガラス、アルミノケイ酸塩ガラス、ホウ酸塩ガラス、リン酸塩ガラス、アルミン酸塩およびチタン酸塩ガラス、フッ化物ガラス、カルコゲンガラス、金属ガラス、結晶化ガラスのいずれかで形成されている。
【００１３】
また、一度はめた人工テレビ石を外れにくくするため、貫通穴の形状は、人工テレビ石の形状に合わせ、前記人工テレビ石よりやや小さく形成することが望ましい。
【００１４】
実施例での人工テレビ石２の形状は、角柱形であるが、円柱形、ハート柱形、スター柱形等具象柱形でも構わない。
【００１５】
このとき、人工テレビ石２の光の入射面４又は出射面５に模様等を印刷しても構わない。
【００１６】
なお、本考案の人工テレビ石は、所定の色に着色されることが望ましい。
例えばレッド、ピンク、パープル、ブルー、イエロー、オレンジ、ホワイト、グリーン等の１色又は、２色以上の組合せである。
【００１７】
また、消しゴムは、有色不透明でも構わないが、人工テレビ石の色と同色で透明なものであれば、カバーを外した時、消しゴム部分と人工テレビ石部分が一体化して見える。
【００１８】
更に、カバーした状態で人工テレビ石２の部分が見えるように、カバー６にも、予め上面と下面に窓を設けておき、この場合の窓の大きさは、人工テレビ石の形状よりやや小さくしておけば、人工テレビ石が窓から飛び出すことを防ぐことが出来る。
【００１９】
以上説明したように、好ましい実施例を挙げて本考案を説明したが、本考案はその実施例に限定されるものではなく、本考案の要旨の範囲内で種々に改変できる。
【図面の簡単な説明】
【００２０】
【図１】本考案に係る人工テレビ石をはめ込む前の消しゴムの貫通穴を示す図である。
【図２】本考案に係る人工テレビ石をはめ込んだ状態を示す図である。
【図３】本考案に係る人工テレビ石をはめ込んだ状態を示す断面図である。
【図４】本考案に係る消しゴムにカバーを取り付けた状態の図である。
【図５】本考案に係る人工テレビ石を使用して文字が浮かび上がって見えた図である。
【符号の説明】
【００２１】
１  消しゴム
２  人工テレビ石
３  貫通穴
４  入射面
５  出射面
６  カバー
【図１】
0003155646.tif 000003
【図２】
0003155646.tif 000004
【図３】
0003155646.tif 000005
【図４】
0003155646.tif 000006
【図５】
0003155646.tif 000007
(57)【要約】      （修正有）【課題】回転体がスムースに回り、装着する際も手間がかからない、粘着ロールペーパーを装着するローラークリーナーを提供する。【解決手段】ローラークリーナーの主軸部３の先端に円筒形状の回転軸受け台７を８のネジ止めし、７の上面に３の周辺に接触した回転軸４を等間隔に複数本配置する。７の長さは従来製品より短く、粘着ロールペーパー９の装着をローラークリーナーの柄部２上方から挿入するためスムースに装着される。従来製品よりも３が短く４を配置することによりスムースに９が回転しやすくなる。【選択図】図１
0003155643.tif 000002
【実用新案登録請求の範囲】
【請求項１】
交換可能なロール状の使い捨て粘着テープを用いたローラークリーナー本体の主軸部に接触して回転軸複数本を等間隔で主軸部周辺に配置したことを特徴とするローラークリーナー。
【請求項２】
回転軸の先端部を受ける円筒形の受け台を主軸部先端にネジ止めした請求項１記載のローラークリーナー。
【請求項３】
請求項１記載の回転軸を主軸部周辺に保持するために、回転軸に凹部を設け粘着ロールペーパーの紙管の内面に接触しない様にスプリングコイルを付与した請求項１記載のローラークリーナー。
【考案の詳細な説明】
【技術分野】
【０００１】  本考案は、衣服・机上・床等に付着するゴミ、ペットの毛、毛髪等を簡単に除去する粘着ロールペーパーを装着するローラークリーナーに関する。
【背景技術】
【０００２】  従来の粘着ロールペーパーを装着するローラークリーナーは、長い円筒形状の回転体を、ローラークリーナーの柄部と一体になっている軸に連結して回転させている。材質的にはプラスチック成型品が多い。
【考案の開示】
【考案が解決しようとする課題】
【０００３】  ローラークリーナー主軸に連結している長い円筒形状の回転体の長さを従来の半分程度に設計し、粘着ロールペーパーの紙管の長さの半分にあたる紙管の内面に、主軸部周辺に配置した回転軸を接触させることにより回転させる。粘着ロールペーパーを柄部上方より挿入する構造にするのが本考案の目的である。【０００４】  従来のローラークリーナーはプラスチック成型品で構成されているのが殆んどですが環境に配慮して部材は木質系のもので構成する。
【課題を解決するための手段】
【０００５】  本考案は、従来の長い円筒形状の回転体の装着部を半分程度短くし柄部上方より粘着ロールペーパーを挿入しやすくする。【０００６】  木質系の部材で柄部と一体で主軸が形成されている。その主軸部先端に円筒形状の受け台をネジ止めする。【０００７】  従来の粘着ロールペーパーの装着部は円筒形の長い形状のものが殆んどであるが、これを半分程度の長さにすることで、回転軸を主軸の周辺に等間隔で配置し主軸部先端にネジ止めされた円筒形状の受け台上面に、回転軸先端を保持することができる。【０００８】  主軸の周辺に等間隔で配置した回転軸を保持するために、回転軸中間部に凹部を設け弾力性のあるスプリングコイルを巻きつける。
【考案の効果】
【０００９】  上述のように本考案のロールクリーナーは、殆んどの部材を木質系とした製品とするが、従来の長い円形状の粘着ロールペーパー装着部を短かく半減したので装着性が良くなる。【００１０】  柄部と一体で従来より短い主軸部にしたため部材の節約となり、その短い主軸部の周辺に回転軸を等間隔に主軸と紙管内面の間隙に配置することが出来るようにしたため、粘着ロールペーパーの回転が良くなる。
【考案を実施するための最良の形態】
【００１１】  以下、本考案の実施形態を図１〜図４に基づいて説明する。【００１２】  図１において、１はロールクリーナー本体で、２はローラークリーナー本体の柄部であり、３は主軸部である。４の回転軸は主軸部周辺に等間隔に配置する。４の回転軸中間部に設けた５の凹部に、６のスプリングコイルで回転軸を保持するため巻きつける。【００１３】  図１の主軸部３の先端部に、７の円筒形状の回転軸受け台を、８のネジ止めをする。７の円周面に９の粘着ロールペーパーが装着される。１０の紙管内径よりわずかに７の外径を小さ目にし、９の粘着ロールペーパーを回転しやすくする。
【図面の簡単な説明】
【００１４】
【図１】  本考案の実施形態を示す粘着ロールペーパーを装着するローラークリーナーの全体図及び一部切欠断面
【図２】  本考案図１のＡ−Ａ線断面図（主軸部に接して回転軸３本を等間隔に配置した図）
【図３】  本考案図１の主軸先端部にネジ止めする円筒状の回転軸受け台の立面図
【図４】  本考案図１の回転軸を保持するスプリングコイル図
【符号の説明】
【００１５】  １  ローラークリーナー本体
２  ローラークリーナーの柄部
３  ローラークリーナーの主軸部
４  回転軸
５  回転軸凹部
６  回転軸保持のためのスプリングコイル
７  円筒形状の回転軸受け台
８  ネジ止め部
９  粘着ロールペーパー
１０  粘着ロールペーパーの紙管
【図１】
0003155643.tif 000003
【図２】
0003155643.tif 000004
【図３】
0003155643.tif 000005
【図４】
0003155643.tif 000006
(57)【要約】      （修正有）【課題】透明版の厚みの部分に光を通過させることによって、透明板に書かれた文字や図を浮き上がらせる様に光るポップボードにおいて、雨天時や高湿の場所にも設置可能にするために、防水効果のある照射装置を提供する。【解決手段】光源となるＬＥＤ２を基盤３に付けて絶縁を施した導線を繋いだものを、フレーム部分に合成樹脂４で被覆しモールド成型して一体化させることにより防水効果を得たものである。【選択図】図２
0003155601.tif 000002
【実用新案登録請求の範囲】
【請求項１】
光源となるＬＥＤや基盤を合成樹脂でモールド成型して一体化することで、防水効果のある光照射装置。
【考案の詳細な説明】
【技術分野】
【０００１】本考案は、光を照射することによって透明板に書かれた文字や図を浮き上がらせる様に光るポップボード（店舗のディスプレイや、販売促進の広告を表示するための板）において、雨天時や高湿の場所にも設置可能にするために、着脱可能なフレーム型のＬＥＤ照射装置の防水に関するものである。
【背景技術】
【０００２】従来のポップボードは防水性がないため、雨天時には透明なカバーをかける方法になっていた。
【先行技術文献】
【特許文献】
【０００３】
【特許文献１】特許公開２００９−９８２９５
【考案の概要】
【考案が解決しようとする課題】
【０００４】ポップボードにビニールカバーを掛けることなく、雨天時や高湿な場所でも設置出来ることが課題である。
【課題を解決するための手段】
【０００５】本考案は上記の課題を解決すべく、光源となるＬＥＤを基盤に付け絶縁を施した導線を繋いだものをフレーム部分に合成樹脂で被覆し、モールド成型して一体化させることにより防水効果を得たものである。【０００６】ＬＥＤの放熱の問題に関しては、効率よく抵抗（低電流ダイオード）とＬＥＤの数を考慮することにより解決出来、合成樹脂で封印して防水することには何ら問題はない。
【考案の効果】
【０００７】光源発生部分を合成樹脂で被膜しモールド成型して一体化することにより、基盤やＬＥＤが合成樹脂の中に封印されるために、防水効果を得ることが出来る。
【図面の簡単な説明】
【０００８】
【図１】本考案を示した全体図である。
【図１】本考案を示した断面図である。
【符号の説明】
【０００９】  １照射装置
２ＬＥＤ
３基盤
４合成樹脂
５アクリル板
【図１】
0003155601.tif 000003
【図２】
0003155601.tif 000004
【手続補正書】
【提出日】平成21年8月28日(2009.8.28)
【手続補正１】
【補正対象書類名】実用新案登録請求の範囲
【補正対象項目名】全文
【補正方法】変更
【補正の内容】
【実用新案登録請求の範囲】
【請求項１】
光源となるＬＥＤやＬＥＤを基盤に付けたものを合成樹脂でモールド成型して一体化することで、防水効果のある光照射装置。
(57)【要約】      （修正有）【課題】プラスチックと紙を確実に分別するゴミ箱の開口蓋を提供する。【解決手段】プレート５にプラスチック及びマークを表示し、円筒１をゴミ箱の中に入れて固定する。本ゴミ箱の開口蓋は、一般ゴミとの違いを明確にすることと、プレートにプラスチック、及びマークを表示することで、消費者が分離したくなるように誘導でき、汎用性も有し、又インテリアとしても利用できる。【選択図】図１
0003155606.tif 000002
【実用新案登録請求の範囲】
【請求項１】
（１）  中空の円筒（１）の上端周辺に半円型のリング（２）を設け、リング（２）の外側周辺に花びら（３）を設け、内側側周辺に花芯（４）を設け、円筒（１）の上部内側にプレート（５）を設ける。
以上の如く構成されたゴミ箱の開口蓋。
【考案の詳細な説明】
【技術分野】
【０００１】  本考案は、ゴミ箱の開口蓋に関するものである。
【背景技術】
【０００２】  従来は、ゴミ箱の形状に拘束され汎用性がなく、又分別は消費者の判断に委ねるしかなく、重要な要素である誘導性がなかった。
【考案の開示】
【考案が解決しようとする課題】
【０００３】  解決しようとする問題点は、色々な販売品は消費者が商品を確認し易くするため、透明なプラスチックと紙の組み合わせによる包装が施されているが、消費者は包装を開封し商品を取り出した後、プラスチックは分別されることなく紙と一緒に一般ゴミとして捨てられ、リサイクルされることはなかった。
【問題を解決するための手段】
【０００４】  中空の円柱（１）上端周辺に半円型のリング（２）を設け、リング（２）の外側周辺に花ビラ（３）を設け、内側周辺に花芯（４）を設け、円柱（１））の上部内側にプレート（５）を設ける。
【考案の効果】
【０００５】  本考案のゴミ箱の開口蓋は、一般ゴミとの違いを明確にすることと、プレートにプラスチック、及びマークを表示することで、消費者が分離したくなるように誘導でき、汎用性も有し、又インテリアとしても利用できる。
【実施例】
【０００６】  円筒（１）、リング（２）、プレート（５）はプラスチック製の物を用い、花びら（３）及び花芯（４）は布製の物を用いる。
なお第３図に示すように丸型の円筒（１）及びリング（２）を四角形の角筒（６）及び角リング（７）にしてもよい。
【図面の簡単な説明】
【０００８】
【図１】は本考案の正面図である。
【図２】は本考案の立面図である。
【図３】は本考案の実施例を示す立面図である。
【符号の説明】
【０００９】  １円筒  ２リング  ３花びら  ４花芯、５プレート、６角筒、７角リング
【図１】
0003155606.tif 000003
【図２】
0003155606.tif 000004
【図３】
0003155606.tif 000005
【手続補正書】
【提出日】平成21年8月27日(2009.8.27)
【手続補正１】
【補正対象書類名】実用新案登録請求の範囲
【補正対象項目名】全文
【補正方法】変更
【補正の内容】
【実用新案登録請求の範囲】
【請求項１】
中空の円筒（１）の上端周辺に半円形のリング（２）を設け、リング（２）の外側周辺に花ビラ（３）を設け、内側周辺に花芯（４）を設け、円筒（１）の上部内側にプレート（５）を設けたことを特徴とする、ゴミ箱の開口蓋。
(57)【要約】      （修正有）【課題】釣り場が高所の場合でも、釣り人が、安全かつ効率的に、釣った魚を取り込める捕獲網を提供する。【解決手段】丸いリング２を軸として片側に１本の引き手ロープ１を取り付け、引き手ロープ１との接続部の周囲のリングに浮き３をつけ、そのリングに網４を取り付け、網の底におもり５を付けて引き手ロープの接続部の反対側のリング２が、水面より１０ｃｍほど沈むようにして高所釣り魚捕獲網を構成する。【選択図】図２
0003155607.tif 000002
【実用新案登録請求の範囲】
【請求項１】
釣り愛好家による高所足場にての釣り時に、釣った魚を簡単かつ安全に取り込む為に
考案。
【考案の詳細な説明】
【技術分野】
【０００１】
釣り愛好家による高所足場にての釣り時に、釣った魚を簡単かつ安全に取り込む為に
考案。
【背景技術】
【０００２】
高所足場にての釣り時に釣った魚を捕獲（上げる）のに大変な労力と危険が伴うため、
その解決を計ろうと考案。
【考案の開示】
【考案が解決しようとする課題】
【０００３】
高所足場にての釣り時に釣った魚を捕獲（上げる）のに大変な労力と危険が伴う
【課題を解決するための手段】
【０００４】
少々大きくなるが、棒のついた網を持ち歩くより、ややコンパクトにそして持ち歩き
にも便利なように自然折りたたみ方式をとる。
【考案の効果】
【０００５】
危険の伴う高所に釣り場において、釣り上げた魚を安全かつ迅速に確保できる便利さ。
竿で引き上げられない大きな魚も、安易に確保できるようになり、釣りの楽しみもより
一層安全・安心という結果になると確信します。
【考案を実施するための最良の形態】
【０００６】
高所足場にて釣り上げた魚を取り込むのに考案の網を入れ、水面に浮かべ釣り上げた
魚をその網に誘導し網を引き上げる。
【実施例】
【０００７】
水面に浮かべた取り込み網は、一本のロープにて網に止めてあるため、浮かべてみた
網は、水面にて回転することなく魚を取り込みやすい岩側の位置にあり、網にスムーズ
に入り・スムーズに上げることができました。
【産業上の利用可能性】
【０００８】
高台の岩礁ポイントにては、特に取り込みが容易である。
【図面の簡単な説明】
【０００９】
図１    正面図  引け上げ状況図
図２    側面図  魚の取り込み状況図
図３    断面図  取り込み網の断面
図４    夜間使用時のランプ取り付け図面
【図１】正面図
【００１０】
（1）       
ロープ
（2）       
リング
（3）       
浮き（6個）
（4）       
網
（5）       
おもり
【図２】側面図
【００１１】
（1）       
ロープ
（2）       
リング
（3）       
浮き（6個）
（4）       
網
（5）       
おもり
【図３】断面図
【００１２】
（1）       
ロープ
（2）       
リング
（3）       
浮き（6個）
（4）       
網
（5）       
おもり
【図４】正面図
【００１３】
（1）  夜間用ランプ（４個）
【図１】
0003155607.tif 000003
【図２】
0003155607.tif 000004
【図３】
0003155607.tif 000005
【図４】
0003155607.tif 000006
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
丸いリングを軸として片側に１本の引き手ロープを取り付け、引き手ロープとの接続部の周囲のリングに浮きをつけ、そのリングに網を取り付け、網の底におもりを付けて引き手ロープの接続部の反対側のリングが、水面より１０ｃｍほど沈むようにしたことを特徴とした高所釣り魚捕獲網。
【手続補正２】
【補正対象書類名】明細書
【補正対象項目名】０００１
【補正方法】変更
【補正の内容】
【０００１】高所釣り場であるため、通常のタモ網では水面まで届かず、タモ網にロープを取り付け、水面に浮かせることにより、釣った魚をその網の中に取り込み、ロープを引き揚げる。尚、他にも高所釣り場にて取り込む方法もありますが、取り扱いが難しいという問題点があった。
(57)【要約】      （修正有）【課題】頭皮を傷つけることがない整髪用のブラシのピンまたはクシの歯を提供する。【解決手段】ブラシのピンまたはくしの歯の先端部を弾力性のある合成樹脂でつなぐことにより、ブラシのピンまたはくしの歯の先端が地肌に達しにくくすることを特徴とする。【選択図】図２
0003155605.tif 000002
【実用新案登録請求の範囲】
【請求項１】
弾力性のある合成樹脂で毛髪に接する部位がつなげられた、整髪用のブラシのピンまたはくし歯
【考案の詳細な説明】
【技術分野】
【０００１】この考案は毛髪を整える整髪具に関するものである。
【背景技術】
【０００２】従来の整髪具はクシやピンを植設したブラシが多くつくられている。
【考案の開示】
【考案が解決しようとする課題】
【０００３】従来の整髪具であるクシやブラシは［図１］のように棒状、歯状の先端が頭皮に直接あたって、いたいことや、頭皮を傷つけることがある。
【課題を解決するための手段】
【０００４】［図２］のような、弾力性のある合成樹脂で毛髪に接する部位がつなげられた本考案の整髪具を提供する。
【考案の効果】
【０００５】本考案の整髪具を使用して、毛髪でとかした状態が［図３］でクシやブラシの棒状、歯状の整髪具と違って毛髪はつなげられた部位の表面を通り、ピン部は頭皮まで達しないので痛くないし、頭皮を傷つけることがなくなる。
【実施例】
【０００６】［図３］のように、毛髪は本考案のピンの表面を通り、本考案のピンは頭皮にまで達していない。
【産業上の利用可能性】
【０００７】本考案は従来と違ったソフトな整髪を可能にし、快適な整髪を提供する。
【図面の簡単な説明】
【０００８】
【図１】従来の整髪用具のピンまたはクシ歯
【図２】本考案の整髪用具用のピンまたはクシ歯
【図３】本考案で毛髪をとかした使用図
【図１】
0003155605.tif 000003
【図２】
0003155605.tif 000004
【図３】
0003155605.tif 000005
【手続補正書】
【提出日】平成21年8月25日(2009.8.25)
【手続補正１】
【補正対象書類名】実用新案登録請求の範囲
【補正対象項目名】全文
【補正方法】変更
【補正の内容】
【実用新案登録請求の範囲】
【請求項１】
ブラシのピンまたはくしの歯の先端部を弾力性のある合成樹脂でつなぐことにより、ブラシのピンまたはくしの歯の先端が地肌に達しにくくすることを特徴とする整髪用のブラシのピンまたはクシの歯
(57)【要約】      （修正有）【課題】携帯電話に搭載されているカメラで、静止画を撮影する時、撮影者を画像内に同時に記録することが出来るダブル静止画撮影カメラを提供する。【解決手段】携帯電話にすでに搭載されている外部カメラとは別に、もう一台静止画撮影カメラを、外部カメラと同位置に内向きに取り付け、２台のカメラの映像を携帯電話のディスプレイに分割表示し、２台同時にシャッターが切れるように設定して携帯電話のダブル静止画撮影カメラを構成する。【選択図】図１
0003155603.tif 000002
【実用新案登録請求の範囲】
【請求項１】
（イ）外部カメラと同位置に、もう１台の静止画撮影カメラを内側に向けて取り付ける。
（ロ）ディスプレイに分割表示された２台のカメラの映像を同時にシャッターが切れるように設定する。
以上のごとく構成されたダブル静止画撮影カメラ。
【考案の詳細な説明】
【技術分野】
【０００１】この考案は携帯電話に搭載されている静止画撮影カメラに関するものである。
【背景技術】
【０００２】従来より携帯電話には付属機能として静止画撮影用カメラが標準的に装備されている。
【考案の概要】
【考案が解決しようとする課題】
【０００３】従来の携帯電話カメラは静止画撮影の時、自動的に撮影日及び時刻がタイトルとして記録されるようになっているが、その画像内に撮影者が写りこむようにはなっていなかった。
本考案は、その不足分を補うためになされたものである。
【課題を解決するための手段】
【０００４】  「静止画撮影時における撮影者を画像内に記録する方法」
（イ）携帯電話の中央部内側に、すでに搭載されている外部カメラとは別に、もう１台静止画撮影カメラを内向きに取り付ける。
（ロ）カメラを起動したとき、ディスプレイに表示される画像の割合を外部カメラ４：内部カメラ１になるように設定する。
（ハ）通常の撮影ポジションで、２台同時にシャッターが切れるように設定する。
本考案は以上のような構成よりなる携帯電話カメラである。
【考案の効果】
【０００５】静止画像内に撮影者が写し込まれることの意義は航空機のフライトレコーダーや自動車のドライブレコーダーの役割を携帯電話にもたせることにあると言える。（ライフレコーダー機能）日常生活において、ごくまれなケースであるが運悪く撮影者が事件に巻き込まれ犯罪容疑者にされることがある。  その時、日付と自画像が記録された静止画があれば撮影者が事件現場にいなかったことを証明する物証即ち「アリバイ」になると考えられる。
この機能を利用して後日、撮影場所が特定できる静止画を多数保存しておけば無実の人間が、アリバイが証明できなかったばっかりに犯人にされてしまうというような悲劇も防ぐことができるのではないだろうか。  このようにして携帯電話カメラに防犯機能をもたせれば「アリバイ証明」だけでなく、目撃者の少ない痴漢事件やストーカー事件の現場記録にも役立つのではないかと考えられる。  それと、携帯電話の時間の正確さから、これまで認められていなかった「アリバイに関する証言の正当性＝本人と、その家族の証言は無効とされる」が有効とみなされることも期待される。
大都会での一人暮らしが多くなった現代社会、携帯電話カメラで利用者の人権が守られるようになれば携帯電話の存在価値が益々向上していくことが予想される。
【図面の簡単な説明】
【０００６】
【図１】  本考案の平面図である。
【考案を実施するための形態】
【０００７】    外部カメラを後日場所が特定できる対象物および風景に向け、内部カメラを自身の顔に向けて図１のように、しっかりと持って撮影する。
【符号の説明】
【０００８】    １  内部カメラ
２  内部カメラ映像
３  外部カメラ
４  外部カメラ映像
【図１】
0003155603.tif 000003
【手続補正書】
【提出日】平成21年8月27日(2009.8.27)
【手続補正１】
【補正対象書類名】実用新案登録請求の範囲
【補正対象項目名】全文
【補正方法】変更
【補正の内容】
【実用新案登録請求の範囲】
【請求項１】
「（イ）携帯電話にすでに搭載されている外部カメラとは別に、もう一台静止画撮影カメラを、外部カメラと同位置に内向きに取り付け、（ロ）２台のカメラの映像を携帯電話のディスプレイに分割表示し、（ハ）２台同時にシャッターが切れるように設定したことを特徴とする携帯電話のダブル静止画撮影カメラ。」
(57)【要約】      （修正有）【課題】歩行型草刈機を用いての草刈り作業から生じる作業者の身体に掛かる負担を軽減し作業の安全性を高める事と、あわせて草刈り後の仕上がりを綺麗にする事が出来る歩行型草刈機を提供する。  【解決手段】操作パイプの一端に原動機を取り付け、他端に該原動機によって駆動する回転刈り刃を取り付けた歩行型草刈機において、回転刈り刃が地表を全方向に滑りながら移動できる滑動補助体を設けたことである。【選択図】図２
0003155656.tif 000002
【実用新案登録請求の範囲】
【請求項１】
操作パイプの一端に原動機を取り付け、他端に該原動機によって駆動される回転刈り刃から成る歩行型草刈機において、該草刈機の回転刈り刃の底部中心に滑動補助体を設けたことを特徴とする歩行型草刈機。
【請求項２】
滑動補助体が回転刈り刃の底部中心に全方向に滑動する駒型の支体から成る事を特徴と
する請求項１に記載の歩行型草刈機。
【考案の詳細な説明】
【技術分野】
【０００１】
本考案はエンジンなどの駆動装置により回転刈り刃で草を刈る草刈機において、肩掛け
式あるいは背負い式の歩行型草刈機に関するものである。
【背景技術】
【０００２】
既存の歩行型草刈機は、操作パイプの一端に原動機を取り付けるとともに他端に原動機
によって駆動させる回転刈り刃を取り付けた構造から成っている。
この草刈機を使用した草刈作業は、原動機を作動させて、作業者が操作パイプを両手で持ち回転刈り刃を地面から浮かして左右方向に振って草を刈り取っている。
【先行技術文献】
【特許文献】
【０００３】
【特許文献１】特開２００６−１２１９０７号公報
【考案の概要】
【考案が解決しようとする課題】
【０００４】
解決しようとする課題は、このように構成された既存の歩行型草刈機を使用した作業に
おいて、操作パイプを両手で持ちバランスを取りながら先端部の回転刈り刃を持ち上げて
左右方向に振らなければならない。
この作業において回転刈り刃の重みで作業者の身体に、負担が掛かり疲労を生じやすく安全性に問題がある。
【０００５】
既存の歩行型草刈機は回転刈り刃を持ち上げ地面から浮かした状態で使用するために
刃と地面との間隔が不安定になり、刈り取りられた後の草の丈が不揃いとなる。このために草刈り後が凸凹の状態になるので、刈り取り後の草の丈を揃えて表面の仕上がりを綺麗にしたい。
【課題を解決するための手段】
【０００６】
上記目的を達成するために、本考案は改善策として回転刈り刃の底部中心に滑動補助体
を設けたことを特徴とする歩行型草刈り機。
【考案の効果】
【０００７】
以上の説明から明らかなように、本考案の滑動補助体を設けた事で次に列挙する効果が
得られる。既存の歩行型草刈機の回転刈り刃に本考案の滑動補助体を設ける事で回転刈り
刃を地表の全方向に滑らしながら移動させられるので、従来のように回転刈り刃を持ち上
げ浮かした状態で振る必要がなくなり、回転刈り刃の上下運動が抑えられて、作業が容易
になり、両手・両腕・両肩・腰への負担が軽減されて安全性が向上する。
【０００８】
既存の歩行型草刈機は回転刈り刃を浮かした状態で作業を行うために、刃と地面との間隔が不安定になり、刈り取られた後の草の丈が不揃いになる。本考案の滑動補助体を設けると回転刈り刃が地面を滑りながら移動出来るので、刃の上下運動が抑えられて、刈り取り後の草の丈が短く揃うので仕上がりがたいへん綺麗になる。
【０００９】
以上の説明で明らかなように、本考案にあっては次に挙げる効果が得られる。水田の畦及び土手・盛土によって作られた河川の堤防・道路の盛り土部分・芝の張られた公園等は人工的に作られた場所であり、草の生えている地表が整然としているので滑動補助体が滑り易く本領を発揮する。又、山林の下草刈り、河原のような石が多い場所では、回転刈り刃を従来のように浮かして行えば良く、この場合も滑動補助体が設けられていることは作業に全く支障ない。
【図面の簡単な説明】
【００１０】
【図１】図１は本考案の滑動補助体の構造図である。
【図２】図２は本考案の滑動補助体が回転刈り刃に設けられた状態の断面図である。
【図３】図３は回転刈り刃に本考案の滑動補助体を設けて行う草刈り作業図である。
【考案を実施するための形態】
【実施例１】
【００１１】
以下、添付図１に従って、本考案の滑動補助体の構成について説明する。２の回転刈り刃の底部中心に５のナットを用いて６のベアリングを取り付ける。そして、このベアリングに７の滑動補助体を取り付ける。回転刈り刃と滑動補助体の間にベアリングを挟んだ構造にする理由は、刃の回転が滑動補助体に伝わると地面に接する際に駆動にブレーキをかけるからである。
【実施例２】
【００１２】
以下、添付図３に従って本考案の滑動補助体を設けた歩行型草刈機で行う使用状態につ
いて説明する。７の滑動補助体が設けられた２の回転刈り刃が９の刈り取られ短くなった
草の上を、全方向に滑りながら移動する。
７の滑動補助体が９の草が刈り取られた後の地面に接して回転刈り刃の支点となる事で、２の回転刈り刃と１０の地面との間隔が安定する。これにより９の刈り取り後の草の丈が短く揃う事で刈り取り後の仕上がりがたいへん綺麗になる。
【符号の説明】
【００１３】
１  操作パイプ
２  回転刈り刃
３  ボルト
４  止め板
５  ナット
６  ベアリング
７  滑動補助体
８  刈る前の草
９  刈られた後の草
１０  地面
【図１】
0003155656.tif 000003
【図２】
0003155656.tif 000004
【図３】
0003155656.tif 000005
(57)【要約】      （修正有）【課題】製造コストが安く、溶接効率を向上させることができるポゴピンコネクターを提供する。【解決手段】ポゴピンコネクターは、金属スリーブ１０、針軸２０、バネ３０を備え、金属スリーブ１０は、殻体１１を備え、殻体１１一端には、封鎖状の底台１２を連接し、殻体１１の反対端は、外へと突出した環状突起１３を設置し、環状突起１３は、環状を呈する平面状の吸着平面１３１を備え、針軸２０一端は、金属スリーブ１０の殻体１１内に嵌めて設置し、反対端は、金属スリーブ１０の外へと進出し、バネ３０は、金属スリーブ１０の殻体１１内に収容される。【選択図】図２
0003155678.tif 000002
【実用新案登録請求の範囲】
【請求項１】
金属スリーブ、針軸、バネを備え、
前記金属スリーブは、殻体を備え、前記殻体一端には、封鎖状の底台を連接し、前記殻体の反対端は、外へと突出した環状突起を設置し、前記環状突起は、環状を呈する平面状の吸着平面を備え、
前記針軸一端は、前記金属スリーブの殻体内に嵌めて設置し、反対端は、前記金属スリーブの外へと進出し、
前記バネは、前記金属スリーブの殻体内に収容されることを特徴とするポゴピンコネクター。
【考案の詳細な説明】
【技術分野】
【０００１】
本考案はコネクターに関し、特にポゴピンコネクター（Pogo Pin Connector）に関する。
【背景技術】
【０００２】
図３に示すように、従来のポゴピンコネクター１’は、中空円柱状のスリーブ１１’を備える。
スリーブ１１’の上端は、外へと突出して環状の嵌合部１１１’を形成する。
スリーブ１１’内には、針軸１２’を設置する。
ポゴピンコネクター１’の溶接操作時には、ポゴピンコネクター１’を運ぶために、先ず挟持装置２’をスリーブ１１’の嵌合部１１１’に嵌めて、次に吸引ノズル(図示なし)を用いて、挟持装置２’を吸着する必要がある。
【０００３】
こうして、ポゴピンコネクター１’を溶接炉へと移し、溶接を行なうことができる。
しかし、上記したようなポゴピンコネクター１’を回路板に溶接する操作では、挟持装置２’を製造するコストが余分にかかり、しかも操作が複雑で、余計な時間と労力を浪費する。
本考案は、従来のポゴピンコネクターの上記した欠点に鑑みてなされたものである。
【考案の概要】
【考案が解決しようとする課題】
【０００４】
本考案が解決しようとする課題は、製造コストを低下させ、溶接効率を向上させることができるポゴピンコネクターを提供することである。
【課題を解決するための手段】
【０００５】
上記課題を解決するため、本考案は下記のポゴピンコネクターを提供する。
ポゴピンコネクターは、金属スリーブ、針軸、バネを備え、
該金属スリーブは、殻体を備え、該殻体一端には、封鎖状の底台を連接し、該殻体の反対端は、外へと突出した環状突起を設置し、該環状突起は、環状を呈する平面状の吸着平面を備え、
該針軸一端は、該金属スリーブの殻体内に嵌めて設置し、反対端は、該金属スリーブの外へと進出し、
該バネは、該金属スリーブの殻体内に収容される。
【考案の効果】
【０００６】
本考案ポゴピンコネクターは、金属スリーブの殻体一端が外へと突出し、吸引ノズルにより吸引可能な環状突起を形成するため、ポゴピンコネクターの回路板への溶接時にも、挟持装置を別に用いる必要がなく、吸引ノズルは直接ポゴピンコネクターを吸着することができる。
よって、操作を簡略化可能で、労力と時間を節約することができ、生産コストを低下させ、生産効率を高めることができる。
【図面の簡単な説明】
【０００７】
【図１】本考案ポゴピンコネクターの立体図である。
【図２】図１に示すポゴピンコネクターと吸引ノズルが対応する状態を示す断面図である。
【図３】従来のポゴピンコネクターに挟持装置を設置する前の状態を示す立体図である。
【考案を実施するための形態】
【０００８】
以下に図面を参照しながら本考案を実施するための最良の形態について詳細に説明する。
【０００９】
図１、２に示すように、本考案のポゴピンコネクター１００は、金属スリーブ１０、針軸２０、バネ３０を備える。
【００１０】
図２に示すように、金属スリーブ１０は、殻体１１を備える。
殻体１１下端には、封鎖状を呈する円盤状底台１２を連接する。
殻体１１の上端は、内側へと屈折して延伸し、環状のストッパー部１４を形成する。
ストッパー部１４は、開口部１５を備える。
殻体１１は、底台１２とストッパー部１４との間に、外へと突出した環状突起１３を設置する。
環状突起１３は、環状を呈する平面状の吸着平面１３１を備える。
針軸２０は、円柱形を呈するスライド部２１、スライド部２１から上方へと突出する円柱形の接触部２２を備える。
スライド部２１は、金属スリーブ１０の殻体１１内に設置し、しかも金属スリーブ１０の直径は、開口部１５の直径より大きいため、スライド部２１は殻体１１内に係合して設置される。
接触部２２の直径は、開口部１５の直径より小さいため、接触部２２は、金属スリーブ１０の開口部１５を通過して、金属スリーブ１０の外へと進出する。
バネ３０は、金属スリーブ１０の殻体１１内に収容される。
バネ３０の一端は、スライド部２１の底面上に接触し、反対端は、底台１２上に接触する。
【００１１】
引き続き図２に示すように、本考案ポゴピンコネクター１００の回路板への溶接時には、溶接炉の吸引ノズル４０を、ポゴピンコネクター１００上に直接嵌めることができる。
吸引ノズル４０の吸引部４１は、環状突起１３上の吸着平面１３１をしっかりと吸引し、こうして、ポゴピンコネクター１００を溶接炉に移し、回路板上に溶接することができる。
【００１２】
本考案ポゴピンコネクター１００は、金属スリーブ１０の殻体１１一端が外へと突出し、吸引ノズル４０により吸引可能な環状突起１３を形成するため、ポゴピンコネクター１００の回路板への溶接時にも、挟持装置を別に用いる必要がなく、吸引ノズル４０は直接ポゴピンコネクター１００を吸着することができる。
よって、操作を簡略化可能で、労力と時間を節約することができ、生産コストを低下させ、生産効率を高めることができる。
【００１３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１４】
本考案は実用新案の要件である新規性を備え、従来の同類製品に比べ十分な進歩を有し、実用性が高く、社会のニーズに合致しており、産業上の利用価値は非常に大きい。
【符号の説明】
【００１５】
１００  ポゴピンコネクター
１０    金属スリーブ
１１    殻体
１２    底台
１３    環状突起
１３１  吸着平面
１４    ストッパー部
１５    開口部
２０    針軸
２１    スライド部
２２    接触部
３０    バネ
４０    吸引ノズル
４１    吸引部
【図１】
0003155678.tif 000003
【図２】
0003155678.tif 000004
【図３】
0003155678.tif 000005